(57)【要約】【課題】使用する容器の大きさにかかわらず使用可能な水切り具を提供する。【解決手段】上方が開口している容器(500)の開口縁(501)に嵌め込んで使用する水切り具(100)であって、円形の本体部(110)と、本体部(110)の周縁に沿って形成されている環状の脱着部(120)と、からなり、本体部(110)には開口部(111)が形成され、本体部(110)の開口部(111)以外の領域には水切り用の孔(112)が形成され、脱着部(120)は伸縮自在の素材（例えば、シリコーン樹脂）でつくられている。【選択図】図１
0003164723.tif 000002
【実用新案登録請求の範囲】
【請求項１】
上方が開口している容器の開口縁に嵌め込んで使用する水切り具であって、
円形の本体部と、
前記本体部の周縁に沿って形成されている環状の脱着部と、
からなり、
前記本体部には開口部が形成され、前記本体部の前記開口部以外の領域には水切り用の孔が形成され、
前記脱着部は伸縮自在の素材でつくられている水切り具。
【請求項２】
前記本体部は伸縮自在の素材でつくられている水切り具。
【請求項３】
前記伸縮自在の素材はシリコーン樹脂またはゴムであることを特徴とする請求項１または２に記載の水切り具。
【請求項４】
少なくとも前記開口部以外の領域において、前記脱着部の内面には少なくとも１個の凸状のリブが形成されていることを特徴とする請求項１乃至３の何れか一項に記載の水切り具。
【考案の詳細な説明】
【技術分野】
【０００１】
本考案は水切り具に関する。
【背景技術】
【０００２】
水切り具の一例として、特開２００６−１５００００号公報に記載されたものがある。
【０００３】
上記公報に記載された水切り具は、鍋の開口面を形成する周縁としてのフランジの一部を覆う半円形状の上板と、上板をフランジ上に付着させる付着層と、から構成されている。
【０００４】
上板にはメッシュからなる領域が形成されており、メッシュの目の粗さは鍋の中の被洗浄物（例えば、米粒）が通過しないような大きさに設定されている。
【０００５】
例えば、鍋の中で米を研いだ後、上記の水切り具を鍋に取り付ける。その後、鍋を傾ければ、鍋の中の水分のみがメッシュを通過して排出される。米粒はメッシュを通過しないため、鍋の中からこぼれ落ちることはない。
【０００６】
上記の水切り具によれば、鍋の中で米を研いだ後、水分のみを鍋から排出させることができる。
【考案の開示】
【考案が解決しようとする課題】
【０００７】
上記の従来の水切り具は剛性体（例えば、アルミニウムやステンレス鋼などの金属）からなる。
【０００８】
このため、水切り具の使用対象である鍋のサイズによっては、その水切り具を使用することができない場合がある。例えば、水切り具が鍋と比較して小さすぎる場合、あるいは、その逆に、水切り具が鍋と比較して大きすぎる場合には、その水切り具を鍋に付着させることができず、結果として、その鍋に対しては水切り具を使用することができない。
【０００９】
このように、従来の水切り具は、使用する容器（例えば、鍋やボールなど）の大きさによっては、使用することができない場合があった。
【００１０】
本考案はこのような従来の水切り具における問題点に鑑みてなされたものであり、使用する容器の大きさにかかわらず使用可能な水切り具を提供することを目的とする。
【課題を解決するための手段】
【００１１】
以下に、「考案を実施するための最良の形態」において使用される参照符号を用いて、上述の課題を解決するための手段を説明する。これらの参照符号は、「実用新案登録請求の範囲」の記載と「考案を実施するための最良の形態」の記載との間の対応関係を明らかにするためにのみ付加されたものであり、「実用新案登録請求の範囲」に記載されている考案の技術的範囲の解釈に用いるべきものではない。
【００１２】
上記の目的を達成するため、本考案は、上方が開口している容器（５００）の開口縁（５０１）に嵌め込んで使用する水切り具（１００）であって、円形の本体部（１１０）と、前記本体部（１１０）の周縁に沿って形成されている環状の脱着部（１２０）と、からなり、前記本体部（１１０）には開口部（１１１）が形成され、前記本体部（１１０）の前記開口部（１１１）以外の領域には水切り用の孔（１１２）が形成され、前記脱着部（１２０）は伸縮自在の素材でつくられている水切り具（１００）を提供する。
【００１３】
前記脱着部（１２０）のみならず、前記本体部（１１０）も伸縮自在の素材でつくられていることが好ましい。
【００１４】
前記伸縮自在の素材としては、例えば、シリコーン樹脂またはゴムを選択することができる。
【００１５】
少なくとも前記開口部（１１１）以外の領域において、前記脱着部（１２０）の内面には少なくとも１個の凸状のリブ（１２１）が形成されていることが好ましい。
【考案の効果】
【００１６】
本考案に係る水切り具によれば、水切り具の外径が容器の外径より小さくても、伸縮自在の素材からなる脱着部を伸ばすことによって、水切り具を容器の開口縁に嵌め込むことが可能である。このように、本考案に係る水切り具は、使用する容器の大きさにかかわらず、容器に取り付けることが可能である。
【００１７】
また、脱着部のみならず、本体部をも伸縮自在の素材でつくることが可能である。この場合、本体部を脱着部と同一の伸縮性素材でつくれば、本考案に係る水切り具を一体成形によりつくることが可能になる。さらに、本体部自体も伸縮性を有することになるため、水切り具全体をより大きく伸ばすことが可能になる。
【００１８】
また、開口部以外の領域において、脱着部の内面に少なくとも１個の凸状のリブを形成することにより、脱着部を容器の開口縁に嵌め込んだときの密着力を高めることが可能になり、脱着部が開口縁から外れにくくすることができる。
【図面の簡単な説明】
【００１９】
【図１】本考案の第一の実施形態に係る水切り具と、当該水切り具の使用対象である鍋との斜視図である。
【図２】本考案の第二の実施形態に係る水切り具を内側から見た場合の斜視図である。
【考案を実施するための最良の形態】
【００２０】
（第一の実施形態）
図１は、本考案の第一の実施形態に係る水切り具１００の斜視図である。
【００２１】
本実施形態に係る水切り具１００は、上方が開口している容器５００（例えば、鍋）の開口縁５０１に嵌め込んで使用される。
【００２２】
図１に示すように、本実施形態に係る水切り具１００は、円形の本体部１１０と、本体部１１０の周縁に沿って壁状に形成されている環状の脱着部１２０と、から構成されている。
【００２３】
本体部１１０は、例えば、プラスチック樹脂からなる。
【００２４】
本体部１１０にはほぼ半円形状の開口部１１１が形成されている。開口部１１１は本体部１１０の全領域の少なくとも５０％の領域を占めている。
【００２５】
さらに、本体部１１０の開口部１１１以外の領域には複数の水切り用の孔１１２が縦横に等間隔に形成されている。
【００２６】
各孔１１２の外径は容器５００の中の被洗浄物（例えば、米粒）が通過しないような大きさに設定されている。例えば、孔１１２の直径は１ｍｍから１．８ｍｍの範囲内において決定される。
【００２７】
脱着部１２０は伸縮自在の素材、例えば、シリコーン樹脂またはゴムでつくられており、図１に示すサイズから本体部１１０の半径方向において伸びることが可能である。
【００２８】
本実施形態に係る水切り具１００は以下のようにして使用される。
【００２９】
まず、容器５００の中で米を研ぐ。
【００３０】
次いで、容器５００の開口縁５０１に水切り具１００の脱着部１２０を嵌め込む。この場合、脱着部１２０は伸縮自在であるため、脱着部１２０の内径が開口縁５０１の外径より小さい場合であっても、脱着部１２０を半径方向外側に伸ばすことによって、脱着部１２０を開口縁５０１に嵌め込むことができる。
【００３１】
この後、容器５００を傾けて、水切り用孔１１２から研ぎ水を排出させる。この場合、各水切り用孔１１２の外径は米粒よりも小さく設定されているため、米粒が容器５００からこぼれ落ちることはない。
【００３２】
以上のように、本実施形態に係る水切り具１００は、その外径が容器５００の外径より小さくても、脱着部１２０を伸ばすことによって、容器５００の開口縁５０１に嵌め込むことが可能である。
【００３３】
例えば、脱着部１２０をシリコーン樹脂で形成した場合、脱着部１２０の外径を２０ｃｍに設定すると、約２０ｃｍから約２６ｃｍの外径を有する容器５００に嵌め込むことが可能である。
【００３４】
なお、本実施形態に係る水切り具１００は上記の構造に限定されるものではなく、種々の改変が可能である。
【００３５】
例えば、本実施形態に係る水切り具１００においては、脱着部１２０のみが伸縮自在の素材でつくられているが、脱着部１２０のみならず、本体部１１０をも伸縮自在の素材でつくることが可能である。本体部１１０を脱着部１２０と同一の伸縮性素材でつくれば、本実施形態に係る水切り具１００を一体成形によりつくることが可能になる。
【００３６】
また、本体部１１０自体もある程度の伸縮性を有するため、水切り具１００自体をより大きく伸ばすことが可能になる。
【００３７】
本実施形態に係る水切り具１００においては、脱着部１２０の素材として、シリコーン樹脂またはゴムを例示したが、伸縮自在の性質を有する素材であれば、任意の素材を選択することが可能である。
【００３８】
また、本実施形態に係る水切り具１００においては、水切り用孔１１２は縦横に等間隔に形成されているが、例えば、水切り用孔１１２の数が開口部１１１に近い領域ほど大きくなるように、すなわち、水切り用孔１１２の総面積が開口部１１１に近くなるほど大きくなるように、設定することが可能である。
【００３９】
通常、食料品を洗浄した際に発生するアクは水面に浮遊するため、開口部１１１に近い領域に多数の（あるいは、総面積が大きい）水切り用孔１１２を配置することにより、容器５００を少し傾ければ、水面上のアクを水切り用孔１１２から流し出すことが可能になる。
【００４０】
（第二の実施形態）
図２は、本考案の第二の実施形態に係る水切り具２００を内側から見た場合の斜視図である。
【００４１】
本実施形態に係る水切り具２００においては、図２に示すように、開口部１１１が形成されている領域以外の領域において、脱着部１２０の内面（内壁）に１個の凸状のリブ１２１が形成されている。
【００４２】
凸状リブ１２１はほぼ半円形状の断面を有している。
【００４３】
このようなリブ１２１を形成することにより、脱着部１２０を容器５００の開口縁５０１に嵌め込んだときの密着力を高めることが可能になり、脱着部１２０が開口縁５０１から外れにくくすることができる。
【００４４】
なお、リブ１２１の数は１には限定されない。１以上の任意の数のリブ１２１を形成することが可能である。
【００４５】
なお、本実施形態に係る水切り具２００においては、リブ１２１は、開口部１１１が形成されている領域以外の領域において、形成されているが、脱着部１２０の内面（内壁）の全周にわたって形成することも可能である。
【符号の説明】
【００４６】
１００  本考案の第一の実施形態に係る水切り具
１１０  本体部
１１１  開口部
１１２  水切り用孔
１２０  脱着部
２００  本考案の第二の実施形態に係る水切り具
１２１  リブ
５００  容器
５０１  開口縁
【図１】
0003164723.tif 000003
【図２】
0003164723.tif 000004
【手続補正書】
【提出日】平成22年10月6日(2010.10.6)
【手続補正１】
【補正対象書類名】実用新案登録請求の範囲
【補正対象項目名】請求項２
【補正方法】変更
【補正の内容】
【請求項２】
前記本体部は伸縮自在の素材でつくられていることを特徴とする請求項１に記載の水切り具。